(57)【要約】【課題】  他の使用者に記憶情報が漏れることを防止することができるＵＳＢストレージデバイスを提供することを目的とする。【解決手段】  電子機器に接続してデータの送受信を行うＵＳＢコネクタ部と、ストレージ領域を有するメモリ部と、制御部と、本人認証処理機能を有すると共に、本人認証用のＩＤ情報が記憶された小型ＩＣカードを着脱可能に装着し、前記小型ＩＣカードとの間で情報の書き込み及び読み取りを行うリーダライタ部と、を備え、前記制御部は、前記小型ＩＣカードでＩＤ情報を使用した本人認証処理が実行された際に、前記ＩＤ情報を前記メモリ部に記憶させる手段と、次回の本人認証処理が実行された際に、その認証処理で使用されたＩＤ情報と、既に前記メモリ部に記憶されているＩＤ情報と、を照合する手段と、前記照合の結果、不一致となった場合に、前記メモリ部のストレージ領域のフォーマットを実行する。【選択図】        図２
2009163494.tif 000002
【特許請求の範囲】
【請求項１】
電子機器に接続してデータの送受信を行うＵＳＢコネクタ部と、ストレージ領域を有するメモリ部と、制御部と、本人認証処理機能を有すると共に、本人認証用のＩＤ情報が記憶された小型ＩＣカードを着脱可能に装着し、前記小型ＩＣカードとの間で情報の書き込み及び読み取りを行うリーダライタ部と、を備えたＵＳＢストレージデバイスであって、
前記制御部は、前記小型ＩＣカードでＩＤ情報を使用した本人認証処理が実行された際に、前記ＩＤ情報を前記メモリ部に記憶させる手段と、次回の本人認証処理が実行された際に、その認証処理で使用されたＩＤ情報と、既に前記メモリ部に記憶されているＩＤ情報と、を照合する手段と、前記照合の結果、不一致となった場合に、前記メモリ部のストレージ領域のフォーマットを実行することを特徴とするＵＳＢストレージデバイス。
【請求項２】
前記制御部は、前記メモリ部のストレージ領域のフォーマットを実行する場合、前記次回の本人認証処理で使用されたＩＤ情報を、前記メモリ部に本人認証用のＩＤ情報として記憶させることを特徴とする請求項１記載のＵＳＢストレージデバイス。
【請求項３】
前記小型ＩＣカードが、ＳＩＭカード、ＵＩＭカード、ＵＳＩＭカード、のいずれかであることを特徴とする請求項１記載のＵＳＢストレージデバイス。
【発明の詳細な説明】
【技術分野】
【０００１】
本発明は、パソコンなどの電子機器に取り外し可能に装着して、情報の記憶を行なうことができる大容量外部記憶デバイスであるＵＳＢストレージデバイスに関する。
【背景技術】
【０００２】
従来、ＵＳＢストレージデバイスは、大容量のデータを記憶させることが可能であると共に、小型、軽量であり持ち運びしやすいことから、近年、安価でより容量の大きな製品が開発、販売され、バックアップや、データの移動などにおいて利用され、急速に普及してきている。（例えば、特許文献１〜３参照）
【０００３】
【特許文献１】特開２００１−３５０９２号公報
【特許文献２】特開２００５−２７６０２５号公報
【特許文献３】特開２００６−１９５６２９号公報
【０００４】
ＵＳＢストレージデバイスの利用方法としては、１つのＵＳＢストレージデバイスを個人の専用として使用する場合や、１つの同じＵＳＢストレージデバイスを、複数の利用者が順番に共通使用する場合などがある。
そして、１つの同じＵＳＢストレージデバイスを、複数の利用者が順番に共通使用する場合には、前使用者は、自分が使用して記憶させたメモリ内の情報を消去処理して、情報が他の者に漏れないように処理する必要がある。
しかしながら、利用者が、メモリ内の情報の消去処理を行なうことを忘れてしまうことも考えられ、重要な情報が第三者に洩れて、不正利用が行われ被害が発生するという危険性もあるという問題がある。
【発明の開示】
【発明が解決しようとする課題】
【０００５】
本発明は、１つの同じＵＳＢストレージデバイスを、複数の利用者が順番に共通使用する場合において、前使用者が、自分がＵＳＢストレージデバイスを使用した際に、メモリ内に記憶させた情報の消去処理を忘れたとしても、その後に同じＵＳＢストレージデバイスを使用する他の使用者に記憶情報が漏れることを防止することができるＵＳＢストレージデバイスを提供することを目的とする。
【課題を解決するための手段】
【０００６】
本発明のＵＳＢストレージデバイスは、電子機器に接続してデータの送受信を行うＵＳＢコネクタ部と、ストレージ領域を有するメモリ部と、制御部と、本人認証処理機能を有すると共に、本人認証用のＩＤ情報が記憶された小型ＩＣカードを着脱可能に装着し、前記小型ＩＣカードとの間で情報の書き込み及び読み取りを行うリーダライタ部と、を備えたＵＳＢストレージデバイスであって、前記制御部は、前記小型ＩＣカードでＩＤ情報を使用した本人認証処理が実行された際に、前記ＩＤ情報を前記メモリ部に記憶させる手段と、次回の本人認証処理が実行された際に、その認証処理で使用されたＩＤ情報と、既に前記メモリ部に記憶されているＩＤ情報と、を照合する手段と、前記照合の結果、不一致となった場合に、前記メモリ部のストレージ領域のフォーマットを実行することを特徴とする。
【０００７】
また、本発明のＵＳＢストレージデバイスは、前記制御部は、前記メモリ部のストレージ領域のフォーマットを実行する場合、前記次回の本人認証処理で使用されたＩＤ情報を、前記メモリ部に本人認証用のＩＤ情報として記憶させることを特徴とする。
【０００８】
更に、本発明のＵＳＢストレージデバイスは、前記小型ＩＣカードが、ＳＩＭカード、ＵＩＭカード、ＵＳＩＭカード、のいずれかであることを特徴とする。
【発明の効果】
【０００９】
したがって、本発明のＵＳＢストレージデバイスは、その認証処理での照合結果が不一致となった場合に、メモリ部のストレージ領域のフォーマットが実行されるので、前回の
使用者がメモリ部に記憶させた情報が、その後に使用する使用者に漏れることを防止することができるという効果がある。
【発明を実施するための最良の形態】
【００１０】
以下、本発明の実施形態に係るＵＳＢストレージデバイスを図面に基づいて説明する。
尚、本発明の実施形態では、電子機器としてパソコンを用いた場合について説明するが、ＵＳＢストレージデバイスを利用できる電子機器であれば、パソコンに限らず本発明を適応できるものである。
図１には、本発明の実施形態に係るＵＳＢストレージデバイス１を、電子機器であるパソコン２のＵＳＢコネクタに装着させた状態を示す斜視図が示されている。
このＵＳＢストレージデバイス１にも、パソコン２のＵＳＢコネクタと交信可能に接続するためのＵＳＢコネクタ３が備えられている。
図１に示すように、ＵＳＢコネクタ３をパソコン２のＵＳＢコネクタに挿入することで、パソコン２によりＵＳＢストレージデバイス１へのデータの書き込みや、ＵＳＢストレージデバイス１のメモリに記憶されたデータをパソコン２で読み取れるようになる。
【００１１】
また、ＵＳＢストレージデバイス１は、本人認証機能及び暗号化機能を有する小型ＩＣカード４が着脱可能に装着できるように構成されている。
この小型ＩＣカード４は、例えば、ＳＩＭカード、ＵＩＭカード、ＵＳＩＭカードなどのカードであり、メモリとＣＰＵを備えており、小型ＩＣカード４に備えられているリーダライタ部により、ＵＳＢストレージデバイス１と小型ＩＣカード４との間で、データの送受信を行えるように構成されている。
【００１２】
図２に示すように、ＵＳＢストレージデバイス１には、小型ＩＣカード４との間でデータの書き込みや読み取りを行うＩＣカードリーダライタ部５と、ストレージ部６と、ＩＣカードリーダライタ部５及びストレージ部６とに接続されたコントローラ部７と、コントローラ部７に接続されたＵＳＢインターフェース部８とが備えられている。
また、ＵＳＢインターフェース部８は、ＵＳＢコネクタ３に接続されている。
コントローラ部７には、ＣＰＵ９とメモリ１０とが備えられている。
【００１３】
次に、本発明のＵＳＢストレージデバイスの処理手順について説明する。
図３には、認証処理と、通信経路暗号化の初期化を行なう際の処理手順に関するフローチャートが示されている。
ＵＳＢストレージデバイスの認証処理と、通信経路暗号化の初期化を行なう場合には、まず、ＵＳＢストレージデバイス１は、ＵＳＢコネクタ３がパソコン２のＵＳＢコネクタに挿入されると、ＵＳＢストレージデバイス１のバスパワーによりコントローラ７に電力が供給されて、コントローラ７の初期化が行なわれ、ＩＣカードリーダライタ部５からの認証情報待ち状態へと遷移する。
そして、利用者は、ＵＳＢストレージデバイス１のストレージ部６のストレージ領域に予め保存されている認証用パスワード入力アプリケーションを起動してする。（ステップＳ１）
起動されたアプリケーションは、まずＩＣカードが挿入されているかどうかを確認する。挿入されていない場合はその旨をユーザへ通知しアプリケーションを終了する。（ステップＳ２）
【００１４】
そして、この挿入確認処理後、アプリケーションとＩＣカード間の通信経路暗号化の初期化が自動的に行なわれる。（ステップＳ３）
次に、ユーザ認証処理が行なわれる。（ステップＳ４）
このユーザ認証処理では、利用者が入力したパスワードと、予めＩＣカード内に登録されているパスワードと照合される。
そして、この照合処理で、照合一致した場合には、暗号化要求待ちの状態となる。（ステップＳ５）
また、この照合処理で、照合不一致の場合には、処理を終了する。
【００１５】
次に、上記の認証処理と、通信経路暗号化の初期化が行なわれた後に、利用者が、ＵＳＢストレージデバイス１を使用して、メモリに記憶された情報の読み取りや、メモリへの情報の書き込みを行なう場合の処理手順について、図４に基づいて説明する。
まず、利用者がパソコンから入力したＩＤ情報であるパスワードが、ＵＳＢストレージデバイス１のコントローラ７へ送られる。（ステップＳ１１）
次に、コントローラ７が小型ＩＣカード（ＳＩＭ）４へパスワードを送信する。（ステップＳ１２）
小型ＩＣカード（ＳＩＭ）４内で、パスワードの検証が行なわれる。（ステップＳ１３）
【００１６】
次に、パスワードの検証結果が、小型ＩＣカード（ＳＩＭ）４からコントローラ７へ送信される。（ステップＳ１４）
そして、コントローラ７で、検証結果がＯＫであるかの判定が行なわれる。（ステップＳ１５）
この判定で、ＯＫである場合には、小型ＩＣカード（ＳＩＭ）４に記憶されているパスワードと、ＵＳＢストレージデバイス１のメモリ部１０に記憶されている前回使用者のパスワードとが一致するか否かの判定が行なわれる。（ステップＳ１６）
そして、この判定で前回使用者のパスワードが一致しない場合には、メモリ部１０のストレージ領域のフォーマットを行ない、そのパスワードをメモリ部１０に記憶させる。（ステップＳ１７）
【００１７】
その後、コントローラ７からパソコン２へマスストレージクラス信号の送信が行なわれる。（ステップＳ１８）
また、ステップＳ１６の判定で、前回使用者のパスワードが一致した場合には、今回の使用者が前回使用者と同一人物であるとして、メモリ部１０のストレージ領域のフォーマットを行なわないで、コントローラ７からパソコン２へマスストレージクラス信号の送信が行なわれる。（ステップＳ１８）
【００１８】
次に、上記の認証処理と、通信経路暗号化の初期化が行なわれた後に、利用者が、ＵＳＢストレージデバイス１を使用して、メモリに記憶された情報の読み取りを行なう場合の処理手順について、図５に基づいて説明する。
まず、利用者がパソコンから入力したＩＤ情報であるパスワードが、ＵＳＢストレージデバイス１のコントローラ７へ送られる。（ステップＳ２１）
次に、コントローラ７が小型ＩＣカード（ＳＩＭ）４へパスワードを送信する。（ステップＳ２２）
小型ＩＣカード（ＳＩＭ）４内で、パスワードの検証が行なわれる。（ステップＳ２３）
【００１９】
次に、パスワードの検証結果が、小型ＩＣカード（ＳＩＭ）４からコントローラ７へ送信される。（ステップＳ２４）
そして、コントローラ７で、検証結果がＯＫであるかの判定が行なわれる。（ステップＳ２５）
この判定で、ＯＫである場合には、ファイル数分ループする。（ステップＳ２６）
そして、小型ＩＣカード（ＳＩＭ）４に記憶されているパスワードと、ＵＳＢストレージデバイス１のメモリ部１０に記憶されている前回使用者のパスワードとが一致するか否かの判定が行なわれる。（ステップＳ２７）
そして、この判定で前回使用者のパスワードが一致した場合には、メモリ部１０の閲覧を可能な状態にする。（ステップＳ２８）
【００２０】
そして、ファイル数分ループする。（ステップＳ２９）
次に、コントローラ７からパソコン２へマスストレージクラス信号と閲覧可ファイル情報の送信を行なう。（ステップＳ３０）
また、判定で前回使用者のパスワードが一致しない場合には、メモリ部１０の閲覧を不可能な状態にする。（ステップＳ３１）
【００２１】
上記したように、本発明のＵＳＢストレージデバイスは、制御部であるコントローラ７は、小型ＩＣカード４でＩＤ情報を使用した本人認証処理が実行された際に、前記ＩＤ情報をメモリ部１０に記憶させ、次回の本人認証処理が実行された際に、その認証処理で使用されたＩＤ情報と、既にメモリ部１０に記憶されているＩＤ情報とを照合して、照合の結果、不一致となった場合に、メモリ部１０のストレージ領域のフォーマットを実行するので、使用者が、自分がＵＳＢストレージデバイスを使用した際に、メモリ内に記憶させた情報の消去処理を忘れたとしても、その後に同じＵＳＢストレージデバイスを使用する他の使用者に記憶情報が漏れることを防止することができる。
【００２２】
また、本発明のＵＳＢストレージデバイスは、上記したパソコンに限定されるものではなく、ＵＳＢストレージデバイスを使用してデータの書き込みやデータの読み取りを行うことができる電子機器に広く適応できるものである。
【００２３】
尚、小型ＩＣカード４の代わりに通常使用されている形状（85.60 × 53.98 mm）のＩＣカードを用いるようにしてもよい。
この場合には、ＵＳＢストレージデバイスに、通常使用されている形状のＩＣカードを装着できるリーダライタを設ける。
【図面の簡単な説明】
【００２４】
【図１】本発明の実施形態に係るＵＳＢストレージデバイスに関し、電子機器であるパソコンのＵＳＢコネクタに装着させた状態を示す斜視図である。
【図２】本発明の実施形態に係るＵＳＢストレージデバイスのシステム構成を示す図である。
【図３】本発明の実施形態に係るＵＳＢストレージデバイスに関し、認証処理と、通信経路暗号化の初期化を行なう際の処理手順を示すフローチャートである。
【図４】本発明の実施形態に係るＵＳＢストレージデバイスに関し、認証処理と、通信経路暗号化の初期化が行なわれた後に、ＵＳＢストレージデバイスを使用して、メモリに記憶された情報の読み取りや、メモリへの情報の書き込みを行なう場合の処理手順を示すフローチャートである。
【図５】本発明の実施形態に係るＵＳＢストレージデバイスに関し、認証処理と、通信経路暗号化の初期化が行なわれた後に、ＵＳＢストレージデバイスを使用して、メモリに記憶された情報の読み取りを行なう場合の処理手順を示すフローチャートである。
【符号の説明】
【００２５】
１  ＵＳＢストレージデバイス
２  パソコン
３  ＵＳＢコネクタ
４  小型ＩＣカード
５  ＩＣカードリーダライタ部
６  ストレージ
７  コントローラ
８  ＵＳＢインターフェース部
９  ＣＰＵ
１０  メモリ
【図１】
2009163494.tif 000003
【図２】
2009163494.tif 000004
【図３】
2009163494.tif 000005
【図４】
2009163494.tif 000006
【図５】
2009163494.tif 000007